(57)【特許請求の範囲】
【請求項１】
野地板（４）上に、凹凸部の長手方向が雨水の流れの方向と一致するように波形金属板（１２）を取り付け、該波形金属板（１２）の上面側に保持具（１６）（３２）を介して太陽電池モジュールパネル（１８）を取り付け、前記波形金属板（１２）の上流側の開口部（１２ａ）を前記野地板（４）に固定した水切り金属板（１０）（３０）で遮蔽し、前記波形金属板（１２）の左右両側部における一方側を、雨水の浸入を防ぐために屋根材（２８）で覆い、前記波形金属板（１２）の他方側を、雨水の浸入を防ぐために水切り金属板で覆い、前記波形金属板（１２）の下流側を前記野地板（４）に固定した水切り金属板（８）で覆うようにしたことを特徴とする太陽電池モジュールパネル取付装置。
【請求項２】
前記太陽電池モジュールパネル（１８）を前記波形金属板（１２）の上面に対して所定間隔を存して取り付け、前記太陽電池モジュールパネル（１８）の下面と前記波形金属板（１２）の上面との間を雨水が流れるようにしたことを特徴とする請求項１に記載の太陽電池モジュールパネル取付装置。
【発明の詳細な説明】
【０００１】
【発明の属する技術分野】
本発明は、建物の屋根に太陽電池モジュールパネルを取り付ける装置に関する。
【０００２】
【従来の技術】
波形の屋根板に太陽電池モジュールパネルを取り付けた屋根が特開平７−２１７１０１号公報に開示されている。また、建物の屋根の野地板に直接太陽電池モジュールパネルを固定することが従来行われている。
【０００３】
【発明が解決しようとする課題】
建物の屋根の野地板に直接太陽電池モジュールパネルを取り付ける場合、野地板から雨水が漏れ、雨漏りの原因となるという問題点があった。また、波形の屋根板に太陽電池モジュールパネルを取り付けた屋根は強度も充分であり、しかも野地板に直接太陽電池モジュールパネルを取り付けないので雨漏りの心配もない。しかしながら、波形の金属板以外の屋根材を使用している屋根にはこの構成を採用できないという問題点があった。
本発明は、上記問題点を解決することを目的とするものである。
【０００４】
【課題を解決するための手段】
上記目的を達成するため、本発明は、野地板４上に、凹凸部の長手方向が雨水の流れの方向と一致するように波形金属板１２を取付け、該波形金属板１２の上面側に保持具１６，３２を介して太陽電池モジュールパネル１８を取付け、前記波形金属板１２の上流側の開口部１２ａを前記野地板４に固定した水切り金属板１０，３０で遮蔽し、前記波形金属板１２の両側及び下流側に屋根材または水切り金属板から成る防水手段を設けたものである。
また、本発明は前記太陽電池モジュールパネル１８を前記波形金属板１２の上面に対して所定間隔を存して取り付け、前記太陽電池モジュールパネル１８の下面と前記波形金属板１２の上面との間を雨水か流れるようにしたものである。
【０００５】
【発明の実施の形態】
以下に本発明の実施の形態を添付した図面を参照して詳細に説明する。
図１において、２は建物の梁であり、これに野地板４が支持されている。野地板４の上にはゴムアスファルトルーフィングから成る防水シート６が敷設されている。
【０００６】
８，１０は水切り用金属板であり、前記野地板４に固定されている。１２は断面形状がサイン波形あるいは矩形波形に形成された波形金属板であり、止め着け具を介して下流側の水切り金属板８及び防水シート６の上から前記野地板４に固定されている。波形金属板１２には、レール１４を介して、保持具１６が固定され、該保持具１６に、波形金属板１２の凸部上の太陽電池モジュールパネル１８が、野地板４に対して水平に保持されている。
【０００７】
上流側の水切り金属板１０の傾斜部分１０ａは、波形金属板１２の上流側の開口部１２ａと太陽電池モジュールパネル１８の側面１８ａとを雨水から遮蔽し、水切り金属板１０の水平部分１０ｂは太陽電池モジュールパネル１８の上流側の上面上で、野地板４に固定された力板２０に係止されている。２２は一方が唐草２４に係合した平板金属製の屋根材であり、他方が水切り金属板８と係合している。
【０００８】
２６は屋根材であり、野地板４上に支持されている。図２中、波形金属板１２の左右両側部は、他の屋根材２８や水切り金属板（図示省略）によって覆われ、これにより、波形金属板１２の両側から、波形金属板１２の下面側に雨水が浸入するのを防止している。
【０００９】
上記した構成において、野地板４上に落下した雨水は、上流側から下流側へ、矢印Ａで示すように太陽電池モジュールパネル１８の上面側を流れ、雨水の、波形金属板１２の上流の開口部１２ａからの流入を防ぐ。波形金属板１２の下流側は、水切り板８によって防水が施され、更に波形金属板１２の両側は、他の屋根板２８や水切り板により雨水の浸入が遮られ、野地板４に雨漏りが生じることがない。
【００１０】
次に本発明の他の実施の形態を図３を参照して説明する。
２は建物の梁であり、これに野地板４が支持されている。野地板４の上にはゴムアスファルトルーフィングから成る防水シート６が敷設されている。８，３０は水切り用金属板であり、前記野地板４に固定されている。
【００１１】
１２は断面形状がサイン波形あるいは矩形波形に形成された波形金属板であり、止め着け具を介して下流側の水切り金属板８及び防水シート６の上から前記野地板４に固定されている。上流側の水切り金属板３０の傾斜部分３０ａは、波形金属板１２の上流側の開口部１２ａを塞ぎ、水切り金属板３０の水平部分３０ｂは波形金属板１２の上流側の上面上で、野地板４に固定された力板（図示省略）に係止されている。
【００１２】
波形金属板１２にはレール３４を介して保持具３２が固定され、該保持具３２に、太陽電池モジュールパネル１８が波形金属板１２の上面から所定の間隔を存して、野地板４に水平に保持されている。
【００１３】
水切り金属板８の一方は、波形金属板１２の下流側の下の野地板４を雨水から遮蔽し、該水切り用金属板８の他方は、平板金属板から成る他の屋根材２２と結合している。３６は屋根材であり、波形金属板１２の上流側に隣接配置れている。波形金属板１２の、図３中、紙面垂直方向の両側は、第１の実施形態と同様に、水切り板や他の屋根材によって防水処理が施されている。
【００１４】
上記した構成において、野地板４上に落下した雨水は、上流側から下流側へ、矢印Ｂで示すように太陽電池モジュールパネル１８の下側を流れ、雨水が太陽電池モジュールパネル１８に堰きとめられることがない。また雨水の浸透は波形金属板１２の表面によって遮られ、野地板４に雨漏りが生じることがない。
【００１５】
【発明の効果】
本発明は上述の如く各種の屋根材が取り付けられる野地板に波形金属板を介して太陽電池モジュールパネルを取り付けるため、強度及び防水効果を高めることができ、しかも、太陽電池モジュールパネルによる雨水の堰きとめを防止することができる。
【図面の簡単な説明】
【図１】本発明の側面断面図である。
【図２】本発明の正面断面図である。
【図３】本発明の他の実施形態を示す側面断面図である。
【符号の説明】
２        梁
４        野地板
６        防水シート
８        水切り用金属板
１０      水切り用金属板
１２      波形金属板
１４      レール
１６      保持具
１８      太陽電池モジュールパネル
２０      力板
２２      屋根材
２４      唐草
２６      屋根材
２８      屋根材
３０      水切り用金属板
３２      保持具
３４      レール
３６      屋根材
【図１】
0004478240.tif 000002
【図２】
0004478240.tif 000003
【図３】
0004478240.tif 000004